(57)【特許請求の範囲】
【請求項１】
ゴムタイヤのトレッド部及びショルダー部の全部又は一部を残して、残部を切除したものであり、該トレッド部を縦にした状態において底を有しないことを特徴とする植栽枠。
【請求項２】
前記トレッド部が内側になるように該ゴムタイヤの表裏を反転させたものであることを特徴とする請求項１に記載の植栽枠。
【請求項３】
前記ゴムタイヤの円周上の1乃至複数箇所に切断部を備えることを特徴とする請求項１又は２に記載の植栽枠。
【請求項４】
請求項１〜３のいずれかに記載の植栽枠を、前記ショルダー部を含む一部が地表に露出するように地中に埋め、前記トレッド部よりも外側に芝生又はグラウンドカバーを植栽し、内側に樹木又は該芝生以外若しくは該グラウンドカバー以外の草花を植栽することを特徴とする造園方法。
【発明の詳細な説明】
【技術分野】
【０００１】
本発明は、草花や樹木を植栽する植栽枠及び同植栽枠を利用した造園方法に関する。
【背景技術】
【０００２】
公園や庭園を構築するにあたって、芝生や草花や樹木等を適宜植栽するが、異種植物を混植するには、その管理上、境界を設ける事が適当である。例えば、芝生の中に樹木を植栽する際に、樹木の周囲を避けて芝生を貼っても芝生は匍匐拡大するため、時間の経過により樹木の直近まで芝生が覆う事になる。こうなると、芝刈り作業が面倒で時間を要し、樹木に施肥するにも芝生を一部剥ぎ取ったり穴を空ける必要があるなど面倒になる。
同様に、芝生の中に草花を植える際にも、芝生が草花の中まで侵入する為、芝生・草花共に管理作業が面倒になる。
【０００３】
このため、ブロック、レンガ、板などを用いて境界を設ける例も多いが、これらは小灌木や草花を点景的に配置する例や小規模な庭園の場合には目立ち過ぎる等の不具合がある。また、芝刈り機や草刈機を使用する際に刈刃を傷めたり、その破片が飛び散り人体や構築物に障害を与える等の問題があり、さらには、費用も高額で移設も困難である。
【０００４】
一般的なブロックやレンガで植栽枠を個々に構築する以外に、並べる事によりドーナツ状になる、デザイン性に優れた専用のブロック等も販売されているが、コンクリート等の硬い材質でできているため芝刈機や草刈機を使用する際に生じる恐れのある上記問題点は解決できず、費用も高額である。
【０００５】
そこで、公園や庭園に芝生や草花や樹木等を植栽する際に、安価で、景観を悪くせず、草刈機や芝刈機の刃を傷めない柔軟性の高い材料で構成された安価な植栽枠が必要とされている。
【先行技術文献】
【特許文献】
【０００６】
【特許文献１】特開平01-160436号公報
【発明の概要】
【発明が解決しようとする課題】
【０００７】
以上の問題点を解決すべく、柔軟性が高い素材を用い、草花や植栽する樹木の大きさに合わせて複数サイズの植栽枠を安価に製造することが課題である。
また、最終的な価格を安価にするには、輸送費を下げる事が必要であるため、軽量で輸送容積の小さな製品を製造することも必要である。
【課題を解決するための手段】
【０００８】
上記課題を解決するために成された本発明に係る植栽枠は、ゴムタイヤのトレッド部及びショルダー部の全部又は一部を残して、残部を切除したものであり、該トレッド部を縦にした状態において底を有しないことを特徴とする。
【０００９】
本願において、トレッド部はゴムタイヤのうち路面に接する部分をいう。また、ショルダー部はゴムタイヤの側面（サイドウォール部）とトレッド部を繋ぐ、トレッド部及びサイドウォール部に対して傾斜した部分をいう。
【００１０】
本発明の植栽枠は、トレッド部を縦に向け、ショルダー部を含む一部が地表に露出するように地中に埋めて用いる。そして、トレッド部よりも外側に芝生又はグラウンドカバーを植栽し、内側にそれら以外の樹木又は草花を植栽することにより、芝生やグラウンドカバーがトレッド部を超えて樹木や草花の側に侵入することを防ぐことができる。ここでグラウンドカバーは、地表を覆うために植栽される植物を指し、例えば、タマリュウ、ハツユキカズラ、セダム、フッキソウ、アジュガ等が該当する。
【００１１】
本発明の植栽枠において、前記トレッド部が内側になるように該タイヤの表裏を反転させたものが好ましい。これにより、ショルダー部がトレッド部の上端から外側を向くように伸びるため、外側に植えた芝生が内側に侵入しようとする際にネズミ返しのような効果を発揮し、その侵入を妨げる効果がある。また、タイヤのトレッド部の模様や文字などが内側に向き、外から見えなくなるため、見た目が良い。
【００１２】
本発明の植栽枠において、前記ゴムタイヤの円周上の1乃至複数箇所に切断部を設けることができる。この切断部は、使用時にその両側のトレッド部及びショルダー部の一部が重なるようにすることにより、植栽枠の径を微調整することができる。そのため、必要な大きさに合わせて植栽枠を設置し易くなる。
【００１３】
本発明の植栽枠は、新品のゴムタイヤを用いることも可能であるが、大量に発生する古タイヤを材料として用いることができる。この場合、本発明の植栽枠は廃物の有効利用となる上、安価に提供することができる。また、ゴムタイヤには非常に多くのサイズがあることから、得られる植栽枠のサイズも多岐に亘り、樹木の大きさや草花のボリュームに合った植栽枠を提供できる。更に、大きなサイズの植栽枠の内側に、それより小さな植栽枠を入れることができる。これを同様に繰返すと、10種類以上の植栽枠を一つの保管・輸送単位として纏める事ができるため、保管・輸送費用の低減が可能になる。
【発明の効果】
【００１４】
本発明により、草刈機や芝刈機の刃を傷めない柔軟性の高い材料で構成された植栽枠を安価に得ることができる。また、本発明の植栽枠は、多彩なサイズを用意することができ、使用者が樹木の大きさや草花のボリュームに合ったものを選択することができる。更に、本発明の植栽枠は軽量であり、輸送費を抑えることができる。
【図面の簡単な説明】
【００１５】
【図１】本発明に係る植栽枠の材料となるゴムタイヤを示す断面図(a)、本発明に係る植栽枠の第１の実施例を示す断面図(b)及び本発明に係る植栽枠の第２の実施例を示す断面図(c)。
【図２】本発明に係る植栽枠の第３の実施例(a)及び第４の実施例(b)を示す断面図。
【図３】本発明に係る植栽枠の第５の実施例(a)及び第６の実施例(b)を示す断面図。
【図４】本発明に係る植栽枠の変形例を示す上面図。
【図５】本発明に係る植栽枠を利用した造園方法を説明するための概略図。
【発明を実施するための形態】
【００１６】
図１〜図５を用いて、本発明に係る植栽枠及びそれを用いた造園方法の実施例を説明する。
【実施例】
【００１７】
まず、図１(a)を用いて、本発明の植栽枠の材料となるゴムタイヤの一例を説明する。このゴムタイヤ１０は、路面に接する部分であって、通常、溝が形成されたトレッド部１１と、トレッド部１１と後記サイドウォール部１３をそれらに対して傾斜して接続するショルダー部１２と、側面に該当するサイドウォール部１３と、タイヤホイールに嵌め込まれるビード部１４により構成されている。
【００１８】
第１の実施例の植栽枠１０Ａは、トレッド部１１とその両側のショルダー部１２を残して、ショルダー部１２とサイドウォール部１３の境界（図１(a)に破線で示す位置）でゴムタイヤ１０をカットした、即ちサイドウォール部１３とビード部１４を切除したものである（図１(b)）。
【００１９】
第２の実施例の植栽枠１０Ｂは、ゴムタイヤ１０として使用した際に地面と接触していた面が内側になるように、第１実施例の植栽枠１０Ａの表裏を反転させたものである（図１(c)）。この構成によれば、ショルダー部１２が外側に開くフレア状態になるため、後述するように、実際に使用した際に芝生が植栽枠の内側に侵入し難くなる。また、ショルダー部１２に刻まれた文字などが内側に向くため、見栄えがよくなる。
【００２０】
第３の実施例の植栽枠１０Ｃは、トレッド部１１の両側のショルダー部１２のうちの一方（第１ショルダー部１２１）のみを残し、他方のショルダー部（第２ショルダー部１２２）をサイドウォール部１３及びビード部１４と共に除去したものである（図２(a)）。第４の実施例の植栽枠１０Ｄは、第３実施例の植栽枠１０Ｃの表裏を反転させたものである（図２(b)）。これら第３及び第４実施例では、ショルダー部を残した側を地表側に向けて使用することにより、芝生返し効果を得ることができる。一方、ショルダー部を除去した側を地表側に向けて使用すれば、地表に露出する部分を最小にすることができ、それにより植栽枠を目立たなくすることができる。
【００２１】
第５の実施例の植栽枠１０Ｅは、第２ショルダー部１２２側を第３実施例の植栽枠１０Ｃよりも更にトレッド部１１寄りから切断したもの（図３(a)）であり、第６の実施例の植栽枠１０Ｆは、第５実施例の植栽枠１０Ｅの表裏を反転させたものである（図３(b)）。これら第５実施例の植栽枠１０Ｅ及び第６実施例の植栽枠１０Ｆはそれぞれ、第３実施例の植栽枠１０Ｃ及び第４実施例の植栽枠１０Ｄと同様の効果を奏する。
【００２２】
以上の実施例以外に、タイヤをカットする位置は、円筒状の枠が構成できる限り任意であり、また、左右共に同じ位置でも異なる位置で切除しても目的を達成することはできる。
【００２３】
上記各実施例において、タイヤの円周上で１ないし複数個所に切断部２１を設けてもよい（図４）。こうして切断することにより、既に植栽した樹木の周囲に植栽枠を設置し易くなるという効果がある。この切断部２１は、使用時に切断部２１の両側のトレッド部１１及びショルダー部１２の一部が重なるようにすることにより、植栽枠の径を微調整することができる。そのため、既に植栽した樹木の周囲に、必要な大きさに合わせて植栽枠を設置し易くなるという効果がある。
【００２４】
図５を用いて、本発明に係る植栽枠を利用した造園方法の一実施例を説明する。この例では、第２実施例の植栽枠１０Ｂを、ショルダー部１２を含む一部が地表面３０より適宣露出するように埋設している。そして、植栽枠１０Ｂの内側には樹木３１を植栽し、外側には芝生３２を植栽する。このように使用することにより、植栽枠１０Ｂの上側は外側に広がるフレア状態になり、匍匐茎を伸ばして伸張する芝生の匍匐茎が外側に誘導されるため、植栽枠１０Ｂの内側に侵入しづらくなる。
【００２５】
また、植栽枠１０Ｂの内側に、地表が見えないようにバークチップ３３を敷き詰めることにより、雑草の発生を防げるとともに、侵入した芝生が根を張れず容易に除去できることになる。
【符号の説明】
【００２６】
１０…ゴムタイヤ
１０Ａ、１０Ｂ、１０Ｃ、１０Ｄ、１０Ｅ、１０Ｆ…植栽枠
１１…トレッド部
１２…ショルダー部
１２１…第１ショルダー部
１２２…第２ショルダー部
１３…サイドウォール部
１４…ビード部
２１…切断部
３０…地表面
３１…樹木
３２…芝生
３３…バークチップ
【図１】
0005850556.tif 000002
【図２】
0005850556.tif 000003
【図３】
0005850556.tif 000004
【図４】
0005850556.tif 000005
【図５】
0005850556.tif 000006